(57)【要約】【課題】軽くて取り扱いが容易であり、収納スペース及び製造コストの低減が図れる止水装置を提供する。【解決手段】建築物の出入口１からの水の浸入を防止する止水装置４であって、前記出入口１の下部２に着脱自在に設けられる下枠部材５と、前記出入口１の左右両端部３に縦枠６を介して着脱自在に設けられる側枠部材７と、前記下枠部材５及び側枠部材７に下辺部及び両側辺部が保持される防水シート９と、該防水シート９の下辺部と前記出入口１の下部２との間をシールする下辺部弾性シール部材１３と、前記防水シート９の側辺部を縦枠６に押し付けると共に該防水シート９の側辺部と側枠部材７との間をシールする側辺部弾性シール部材３４と、前記下枠部材５の両端部に設けられ前記出入口１の下部２と前記縦枠６との交わる隅部３０に防水シート９の対応する部分を押し付けてシールする隅部押圧部材３１とを備えている。【選択図】図１
2010065391.tif 000002
【特許請求の範囲】
【請求項１】
建築物の出入口からの水の浸入を防止する止水装置であって、前記出入口の下部に着脱自在に設けられる下枠部材と、前記出入口の左右両端部に縦枠を介して着脱自在に設けられる側枠部材と、前記下枠部材及び側枠部材に下辺部及び両側辺部が保持される防水シートと、該防水シートの下辺部と前記出入口の下部との間をシールする下辺部弾性シール部材と、前記防水シートの側辺部を縦枠に押し付けると共に該防水シートの側辺部と縦枠部材との間をシールする側辺部弾性シール部材と、前記下枠部材の両端部に設けられ前記出入口の下部と前記縦枠との交わる隅部に防水シートの対応する部分を押し付けてシールする隅部押圧部材とを備えたことを特徴とする止水装置。
【請求項２】
前記防水シートの少なくとも下辺部及び両側辺部には棒軸部が設けられ、これらの棒軸部が前記下枠部材及び側枠部材にそれぞれ長手方向に形成された保持溝に係合保持されていることを特徴とする請求項１記載の止水装置。
【請求項３】
前記縦枠近傍の出入口下部には前記側枠部材の下端部に設けられた掛止部を掛止するための掛止受部が設けられ、前記縦枠には外側から前記側枠部材の上端部が固定具により着脱自在に固定されることを特徴とする請求項１記載の止水装置。
【請求項４】
前記隅部には前記防水シートの側辺部を支持する凹曲面状の支持面を有する隅部材が設けられていることを特徴とする請求項１記載の止水装置。
【発明の詳細な説明】
【技術分野】
【０００１】
本発明は、洪水時に建築物の出入口に設置されて浸水を防止する止水装置に関するものである。
【背景技術】
【０００２】
この種の止水装置としては、例えば特許文献１に記載されているようなパネル構造のものが知られている。この止水装置は、出入口の左右両端部にガスケット固定枠を立設し、両ガスケット固定枠間にガスケットを介して止水パネルを上下方向から嵌め込み、ガスケット固定枠の上端部に止水パネルの浮き上がりを防止するキャップを取付けて構成されている。
【０００３】
なお、他のパネル構造の止水装置としては、例えば金属製の止水パネルを出入口に設けた枠に嵌め込んで設置するようにしたものなどもある。
【０００４】
【特許文献１】特開２００２−２４２４８１号公報
【発明の開示】
【発明が解決しようとする課題】
【０００５】
しかしながら、前述した何れの止水装置においても、止水パネルを用いているため、重くて取り扱いが大変であるばかりでなく、不使用時に止水パネルを保管収納しておく広い収納スペースが必要であると共に、製造コストの増大を余儀なくされるという問題があった。
【０００６】
本発明は、前記事情を考慮してなされたものであり、軽くて取り扱いが容易であり、収納スペース及び製造コストの低減が図れる止水装置を提供することを目的とする。
【課題を解決するための手段】
【０００７】
前記目的を達成するために、本発明は、建築物の出入口からの水の浸入を防止する止水装置であって、前記出入口の下部に着脱自在に設けられる下枠部材と、前記出入口の左右両端部に縦枠を介して着脱自在に設けられる側枠部材と、前記下枠部材及び側枠部材に下辺部及び両側辺部が保持される防水シートと、該防水シートの下辺部と前記出入口の下部との間をシールする下辺部弾性シール部材と、前記防水シートの側辺部を縦枠に押し付けると共に該防水シートの側辺部と縦枠部材との間をシールする側辺部弾性シール部材と、前記下枠部材の両端部に設けられ前記出入口の下部と前記縦枠との交わる隅部に防水シートの対応する部分を押し付けてシールする隅部押圧部材とを備えたことを特徴とする。
【０００８】
前記防水シートの少なくとも下辺部及び両側辺部には棒軸部が設けられ、これらの棒軸部が前記下枠部材及び側枠部材にそれぞれ長手方向に形成された保持溝に係合保持されていることが好ましい。
【０００９】
前記縦枠近傍の出入口下部には前記側枠部材の下端部に設けられた掛止部を掛止するための掛止受部が設けられ、前記縦枠には外側から前記側枠部材の上端部が固定具により着脱自在に固定されることが好ましい。
【００１０】
前記隅部には前記防水シートの側辺部を支持する凹曲面状の支持面を有する隅部材が設けられていることが好ましい。
【発明の効果】
【００１１】
本発明によれば、軽くて取り扱いが容易であり、収納スペース及び製造コストの低減が図れる。
【発明を実施するための最良の形態】
【００１２】
以下に、本発明を実施するための最良の形態を添付図面に基づいて詳述する。図１は本発明の実施形態に係る止水装置を示す図で、（ａ）は正面図、（ｂ）は（ａ）のＡ−Ａ線断面図、図２は図１（ｂ）のＢ部拡大断面図、図３は図２のＣ−Ｃ線断面図、図４は図２のＤ−Ｄ線断面図、図５は止水シートの一例を示す正面図である。
【００１３】
図１において、１は建築物の出入口であり、この出入口１は、その下部である舗装された地面２と、左右両端部３からなっている。この出入口１には、水の浸入を防止する止水装置４が設置される。この止水装置４は、前記出入口１の地面２に着脱自在に設けられる下枠部材５と、前記出入口１の左右両端部３に縦枠６を介して着脱自在に設けられる側枠部材７と、前記下枠部材５及び側枠部材７に下辺部及び両側辺部が保持される防水シート９とを備えている。なお、本実施形態の止水装置４は、防水シート９の上辺部を保持する上枠部材８を備えているが、本発明の止水装置としては、後述するように上枠部材８を備えていなくても良い（図７参照）。
【００１４】
防水シート９は、ゴム製、樹脂製、防水加工を施した布製であってもよい。この防水シート９の上辺部、下辺部及び左右の両側辺部には、図２〜図５に示すように例えばゴム棒等の弾性を有する棒軸部１０が一体に設けられ、これらの棒軸部１０が前記上枠部材８、下枠部材５及び側枠部材７にそれぞれ長手方向に形成された断面Ｃ字状の保持部１１の保持溝１２に係合保持されている。なお、この場合、防水シート９の下辺部に設けられる棒軸部１０は、防水シート９の下辺部よりも上方に設けられていることが後述の下辺部弾性シール部材１３を設ける上で好ましい。
【００１５】
また、前記防水シート９の裏面（水と接しない側の面）には補強部材１４が設けられていることが好ましい。防水シート９は表面側（正面側）に水圧を受けることにより裏面側が膨らむため、その膨らみ部分を前記補強部材１４により支えることにより防水シート９の損傷を防止でき、耐久性の向上が図れる。本実施の形態では、防水シート９の両側の棒軸部１０間に跨る水平の例えばゴム棒等の弾性を有する棒状、ロープ状又はベルト状の補強部材１４を上下に適宜間隔で複数本設けた一例が示されているが（図５参照）、補強部材１４としては、これらに限定されるものではない。また、補強部材１４は防水シートに一体的に設けられていることが好ましいが、別体で設けられていてもよく、例えば縦枠６間に掛け渡されて設けられていてもよい。
【００１６】
前記上枠部材８、下枠部材５及び側枠部材７は、側枠部材７の一部を除き、同じ断面形状の共通の枠材からなっていることが好ましい。すなわち、上枠部材８、下枠部材５及び側枠部材７は、例えばアルミ押出形材からなる断面方形の中空構造の第１部材１５と、断面Ｃ字状の保持部１１を有する第２部材１６とからなり、これら第１部材１５及び第２部材１６は本実施形態では別体に形成された後一体的に結合されているが、最初から一体形成されていても良い。側枠部材７においては、後述の側辺部弾性押圧部材１７を取付けるための取付部１８が保持部１１の外側の一側縁部に突出して形成されている（図２参照）。前記防水シート９の棒軸部１０は、前記保持部１１の保持溝１２にその軸方向の一端からスライド自在に挿入（嵌合）されて保持されるため、防水シート９が水圧で面内方向に引っ張られても保持溝１２から離脱することはない。
【００１７】
前記下枠部材５は、図３に示すように、保持溝１２を下に向けた状態で前記出入口１の地面２にボルト１９により取付けられる。下枠部材５の前縁部にはボルト受け２０が長手方向に沿って設けられ、このボルト受け２０にはボルト用の切欠穴２１が長手方向に適宜間隔で複数設けられている。出入口１の地中にはボルト１９を螺合するためのアンカー２２が埋設されている。ボルト１９により前記下枠部材５を出入口１の地面２に締め付け固定することによって防水シート９の下辺部が出入口１の地面２に押し付けられるが、この場合、防水シート９と地面２との間をシールするためにこれらの間には独立気泡を有する発泡ゴム製の下辺部弾性シール部材１３が設けられること、すなわち防水シート９の下辺部の下面（裏面）には下辺部弾性シール部材１３が長手方向に沿って張設されていることが好ましい。なお、下枠部材５には前記下辺部弾性シール部材１３を防水シート９の上方から地面２に対して押圧するための下部押圧部材２３が設けられていることが好ましい。この下部押圧部材２３は、例えば硬質ゴムからなる。
【００１８】
また、前記防水シート９の裏面の左右両側辺部には発泡ゴム製の側辺部弾性シール部材３４が長手方向に沿って張設されていることが好ましい。これら両側片部弾性シール部材３４，３４間に跨るように前記下辺部弾性シール部材１３が設けられている。図示例では、シール効果を高めるために、下辺部弾性シール部材１３は複数例えば平行に２条配置されている。
【００１９】
前記出入口１の左右両端部３における対向する内側面には、前記縦枠６がボルト止めにより着脱自在に取付けられるか、或いは通行の邪魔にならないときには縦枠６が溶接で固定される。この場合、出入口１の左右両端部３及びその近傍の地面２には、縦枠６や側枠部材７等を取付けるための側板（側部ベースプレートともいう）２４及び底板（下部ベースプレートともいう）２５が固定されていることが好ましい。縦枠６は、軽量化を図るため、例えば断面方形の中空構造のアルミ押出形材からなっていることが好ましい。縦枠６を着脱自在に取付ける場合には、取付面である側板２４及び底板２５と縦枠６との間にパッキンを介設することが好ましい（図示省略）。
【００２０】
側枠部材７の取付性を向上させるために、図４に示すように前記底板２５上には、側枠部材７の下端部に外側へ向けて突設された掛止部２６を掛止するための掛止受部２７が設けられ、前記縦枠６には外側から前記側枠部材７の上端部が固定具例えば取付ネジ２８により着脱自在に固定されるようになっている。ここで、側枠部材７の取付方法を説明すると、図４に仮想線で示すように側枠部材７の下端部を底板２５上の縦枠６と掛止受部２７の間に外側から斜めに挿入し、下端部を支点に側枠部材７の上端部を矢印２９で示すように縦枠６側に回動させて起こすことにより、下端部の掛止部２６を掛止受部２７に引っ掛けて固定し、上端部を取付ネジ２８で固定すればよく、側枠部材７を迅速且つ容易に取付けることができる。
【００２１】
水圧が加わる防水シート９により側枠部材７の長手方向中央部が内方へ引っ張られて湾曲状に変形するのを防止するために、縦枠６の外面にはその長手方向（上下方向）に沿って長尺板状のストッパー部材３３が一体的に設けられている。このストッパー部材３３の外面には防水シート９の裏面に張設された前記側辺部弾性シール部材３４が密着されて水密にシールするようになる。
【００２２】
前記止水装置４の場合、出入口１における地面２と縦枠６とが交わる隅部３０及び縦枠６に対する防水シート９の側辺部のシール構造が重要となる。そこで、前記側枠部材７には、防水シート９の側辺部を縦枠６に押し付けてシールするための側辺部弾性押圧部材１７が設けられ、前記下枠部材５の両端部には、前記出入口１の地面２と前記縦枠６との交わる隅部３０に防水シート９の側辺部の対応する部分を押し付けてシールする隅部押圧部材３１が設けられている。側辺部弾性押圧部材１７は、前記側枠部材７に内側方へ突出形成された取付部１８に接着されている。側辺部弾性押圧部材１７は、クッションゴムからなっている。この側片部弾性押圧部材１７は、防水シート９に接着された側片部弾性シール部材３４をストッパー部材３３に対して押圧する。隅部押圧部材３１は下枠部材５の後縁部の長手方向両端部に押え部材３２を介して取付けられている。隅部押圧部材３１は、下部押圧部材２３と同様、例えば硬質ゴムからなる。
【００２３】
前記隅部３０における防水シート９のシール性を更に向上させるために、前記隅部３０には前記防水シート９の側辺部を支持する凹曲面状の支持面３５ａを有する隅部材（アール面部材ともいう）３５が取付けられていることが好ましい。本実施形態では、縦枠６の外側面に、前記側辺部弾性押圧部材１７と対向して防水シート９の側辺部の裏面を支持するストッパー部材３３が上下方向に連続して設けられ、このストッパー部材３３と底板２５とが交わる隅部３０に前記隅部材３５が一体的に設けられている。
【００２４】
前記上枠部材８を取付けるために、左右の縦枠６の外側面には、上枠部材８の両端部を水平に支持する受部材３６が設けられ、両受部材３６に支持された上枠部材８が縦枠６に対して取付ネジ３７により固定されるようになっている。
【００２５】
次に前記止水装置４の設置方法を説明する。図６に示すように、建築物の出入口１の左右両端部３及び地面２に側板２４、底板２５及びアンカー２２を予め設置しておく。基礎工事は、側板２４、底板２５及びアンカー２２の設置だけでよく、簡易である。場合によっては、縦枠６も予め設置しておいてもよい。そして、豪雨や潮位の上昇（高潮）により、洪水が予想される場合には、予め折り畳んで所定の保管場所に保管されている防水シート９と枠部材５，７，８を持ち出し、防水シート９を広げてその各辺に枠部材５，７，８を取付け、前記縦枠６に側枠部材７を前記取付方法で取付け、左右の縦枠６の受部材３６に上枠部材８を掛け渡して取付ネジ３７で左右の縦枠６に取付け、ボルト１９をアンカー２２に捻じ込んで下枠部材５を地面２に固定すればよく、防水シート９と枠部材５，７，８からなる止水装置４を迅速且つ容易に設置することができる。
【００２６】
この設置時に、防水シート９の側辺部弾性シール部材３４は、左右の側枠部材７の取付部１８に取付けられた側辺部弾性押圧部材１７により縦枠６のストッパー部材３３に押圧されてシールされ、防水シート９の下辺部は下枠部材５の押付け力により下辺部弾性シール部材１３を介して地面２に押し付けられてシールされ、しかも防水シート９の下辺部と側辺部の間の箇所は隅部材３５の支持面３５ａに隅部押圧部材３１により押圧されてシールされる。また、防水シート９は外側からの水圧によって内側へ膨らみ、防水シート９の側辺部がストッパー部材３３や隅部材３５の支持面３５ａに押し付けられるようになり、水圧が増すほど止水効果が高まる。従って、建築物の出入口１に外側から水が押し寄せてきたとしても、前記止水装置４によって水を塞き止めることができ、出入口１から内部への水の浸入を防止することができる。
【００２７】
一方、水が引き、止水装置４を撤去する場合には、ボルト１９を緩め、取付ネジ２８，３７を取外すだけで防水シート９及び枠部材５，７，８を取外すことができ、防水シート９の各辺から枠部材５，７，８を取外し、防水シート９を折り畳んで枠部材５，７，８と共に所定の保管場所に収納すればよく、止水装置４を迅速且つ容易に撤去することができると共にコンパクトに収納保管することができる。なお、前記ボルト１９はアンカー２２に捻じ込んでおくことが紛失やアンカー２２内へのゴミの浸入を防止する上で好ましい。
【００２８】
このように本実施形態の止水装置４は、防水シート９と、この防水シート９の各辺に設けられた棒軸部１０にスライド可能に装着される枠部材５，７，８とにより主要部が構成されているので、簡易な止水装置を実現でき、コストの低減が図れる。
【００２９】
以上、本発明の実施の形態を図面により詳述してきたが、本発明は前記実施の形態に限定されるものではなく、本発明の要旨を逸脱しない範囲での種々の設計変更が可能である。図７は図１の実施形態の変形例を示す正面図であり、図１（ａ）と同一部分は同一符号を付して説明を省略する。この変形例では、防水シートの上辺部に取付ける上枠部材を採用せず、構造の簡素化及びコストの低減が図られている。
【００３０】
なお、前記実施の形態では、建築物の出入口の左右両端部における対向する内側面に縦枠を介して側枠部材を着脱自在に設けた一例が示されているが、上記出入口の左右両端部における正面に縦枠を介して側枠部材を着脱自在に設けてもよい。また、本発明に係る止水装置の技術は、例えばプールや貯水装置等にも適用可能である。
【図面の簡単な説明】
【００３１】
【図１】本発明の実施形態に係る止水装置を示す図、（ａ）は正面図、（ｂ）は（ａ）のＡ−Ａ線断面図である。
【図２】図１（ｂ）のＢ部拡大断面図である。
【図３】図２のＣ−Ｃ線断面図である。
【図４】図２のＤ−Ｄ線断面図である。
【図５】止水シートの一例を示す正面図である。
【図６】止水装置を取外した状態を示す建築物の出入口の正面図である。
【図７】図１の実施形態の変形例を示す正面図である。
【符号の説明】
【００３２】
１  出入口
２  地面（下部）
３  左右両端部
４  止水装置
５  下枠部材
６  縦枠
７  側枠部材
８  上枠部材
９  防水シート
１０  棒軸部
１１  保持部
１２  保持溝
１３  下辺部弾性シール部材
１４  補強部材
１５  第１部材
１６  第２部材
１７  側辺部弾性押圧部材
１８  取付部
１９  ボルト
２０  ボルト受け
２１  切欠穴
２２  アンカー
２３  下部押圧部材
２４  側板
２５  底板
２６  掛止部
２７  掛止受部
２８  取付ネジ（固定具）
２９  矢印
３０  隅部
３１  隅部押圧部材
３２  押え部材
３３  ストッパー部材
３４  側片部弾性シール部材
３５  隅部材
３５ａ  支持面
３６  受部材
３７  取付ネジ
【図１】
2010065391.tif 000003
【図２】
2010065391.tif 000004
【図３】
2010065391.tif 000005
【図４】
2010065391.tif 000006
【図５】
2010065391.tif 000007
【図６】
2010065391.tif 000008
【図７】
2010065391.tif 000009